(57)【特許請求の範囲】
【請求項１】
ユニバーサル直列バスのD+端子からのD+電気的データ信号及びD-端子からのD-電気的データ信号を処理して第１光ファイバラインを通じて統合送信する統合送信モジュールと、第２光ファイバラインを通じて統合受信されたD+光データ信号及びD-光データ信号を処理してD+電気的データ信号及びD-電気的データ信号を前記D+端子及びD-端子に各々入力させる統合受信モジュールとを含む光通信インターフェースモジュールにおいて、
前記統合送信モジュールが、
ユニバーサル直列バスのD+端子からのD+電気的データ信号及びD-端子からのD-電気的データ信号のうち何れか１つの信号に相応する光データ信号を前記第１光ファイバラインに入射させる送信駆動回路と、
前記ユニバーサル直列バスのD+端子からのD+電気的データ信号及びD-端子からのD-電気的データ信号が共に論理ロー状態になる間に前記光データ信号の輝度を第１設定値より高め、前記D+端子またはD-端子に入力される統合受信モジュールからの電気的データ信号によっては前記送信駆動回路が動作しないように制御する送信制御スイッチとを含む光通信インターフェースモジュール。
【請求項２】
前記送信駆動回路が、
前記D+端子からのD+電気的データ信号をその負極性入力端子を通じて入力され、前記D-端子からのD-電気的データ信号をその正極性入力端子を通じて入力され、前記D-電気的データ信号と同一な論理状態の電気的データ信号を出力する比較器と、
前記D+端子からのD+電気的データ信号及び前記D-端子からのD-電気的データ信号が共に論理ロー状態のうちにのみ論理ハイ状態となる電気的制御信号を出力するNORゲートと、
前記比較器からの電気的データ信号が論理ハイ状態であるか、前記NORゲートからの電気的制御信号が論理ハイ状態であるうちにのみ論理ハイ状態である電気的データ信号を出力するORゲートと、
そのアノード端子に印加される駆動電圧に比例した輝度の光を前記第１光ファイバラインに入射させる発光素子と、
前記発光素子の動作状態を前記ORゲートからの電気的データ信号と同一な論理状態にする送信駆動部とを含む請求項１に記載の光通信インターフェースモジュール。
【請求項３】
前記送信制御スイッチが、
前記NORゲートからの電気的制御信号が論理ハイ状態であるうちにのみターンオンされ、前記送信駆動部の発光素子のアノード端子に印加される駆動電圧を所定の設定値より高める第１トランジスタと、
前記D-端子に入力される電気的データ信号が論理ハイ状態であるうちにのみターンオンされ、前記送信駆動部の発光素子のアノード端子に印加される駆動電圧を接地電圧に近接させる第２トランジスタとを含む請求項２に記載の光通信インターフェースモジュール。
【請求項４】
前記統合受信モジュールが、
前記第２光ファイバラインを通じて受信された光データ信号を電気的データ信号に変換する光電変換部と、
前記光電変換部からの電気的データ信号を処理してD+電気的データ信号及びD-電気的データ信号を生じ、生じたD+電気的データ信号及びD-電気的データ信号を前記D+端子及びD-端子に各々入力させる信号分離部と、
前記光電変換部からの電気的データ信号が前記第１設定値に比例した第２設定値より高まる間に前記D+端子及びD-端子に各々入力されるD+電気的データ信号及びD-電気的データ信号を共に論理ロー状態にする受信制御部とを含む請求項１に記載の光通信インターフェースモジュール。
【請求項５】
前記光電変換部が、
前記第２光ファイバラインを通じて受信された光データ信号を電流データ信号に変換する光電変換素子と、
前記光電変換素子からの電流データ信号を電圧データ信号に変換させる電流-電圧変換器と、
前記電流-電圧変換器からの電圧データ信号を所定の増幅度で増幅する増幅器とを含む請求項４に記載の光通信インターフェースモジュール。
【請求項６】
前記統合送信モジュールの送信駆動部が前記D-端子からのD-電気的データ信号に相応する光データ信号を前記第１光ファイバラインに入射させ、
前記信号分離部が、
前記光電変換部の増幅器からの電圧データ信号が前記第２設定値より低い第３設定値の電圧より高いうちにのみ論理ハイ状態のD-電気的データ信号を生じて前記D-端子に入力させる比較器と、
前記比較器からのD-電気的データ信号が反転されたD+電気的データ信号を生じて前記D+端子に入力させる反転器とを含む請求項５に記載の光通信インターフェースモジュール。
【請求項７】
前記受信制御部が、
前記光電変換部の増幅器からの電圧データ信号が前記第２設定値の電圧より高いうちにのみ論理ハイ状態の制御信号を生じる比較器と、
そのコレクタが前記D+端子に連結され、そのベースが前記比較器の出力端子に連結され、そのエミッタが接地されるD+制御トランジスタと、
そのコレクタが前記D-端子に連結され、そのベースが前記比較器の出力端子に連結され、そのエミッタが接地されるD-制御トランジスタとを含む請求項５に記載の光通信インターフェースモジュール。
【発明の詳細な説明】
【０００１】
【発明の属する技術分野】
本発明は、ユニバーサル直列バス(Universal Serial Bus：以下、USBと称する)用の光通信インターフェースモジュールに係り、特に一側のUSBのD+及びD-端子を光ファイバラインを通じて他側のUSBのD+及びD-端子に各々連結するための光通信インターフェースモジュールに関する。
【０００２】
【従来の技術】
USBは、コンピュータ本体及び周辺機器のデータ通信に用いられる１つのプロトコルのバスであって、データ通信の互換性に優れるという側面でその使用度が高い。このようなUSBは、+５VのVcc電源ライン、接地ライン、D+データライン及びD-データラインより構成される。D+データライン及びD-データラインに各々載せられるD+及びD-データ信号において、両信号とも論理ロー状態の単一終端(single-end-zero)領域が存在し、その他の領域では常に両信号の論理状態が反対である。
【０００３】
USBを他側のUSBに連結するに当たって、単に金属ラインで連結する場合、ライン電圧の降下によって通信可能距離が短く、伝送速度が遅くなる問題点がある。このような問題点に対応するために、最近には光ファイバラインを通じてUSBを相互連結するための光通信インターフェースモジュールが開発されている。
【０００４】
図１を参照すれば、従来のUSB用の光通信インターフェースモジュールは、USBのD+データ信号及びD-データ信号が相異なる光ファイバラインを通じて送信及び受信されるように構成されている。
【０００５】
A側のUSBのD+端子１０６は第１D+制御スイッチ１０１に連結され、D-端子１１６は第１D-制御スイッチ１１１に連結する。このように、B側USBのD+端子１２６は第２D+制御スイッチ１２１に連結され、D-端子１３６は第２D-制御スイッチ１３１に連結される。
【０００６】
第１及び第２D+制御スイッチ１０１、１２１は第１及び第２D+増幅部１０３、１２３を通じて入力されるD+データ信号が第１及び第２D+駆動部１０２、１２２を通じてフィードバックされないようにする。第１及び第２D+駆動部１０２、１２２は相応するD+電気的データ信号D+A、D+Bによって発光ダイオード１０４、１２４を駆動して相応するD+光データ信号を生じる。発光ダイオード１０４、１２４からのD+光データ信号D+A、D+Bは光ファイバラインOF１、OF２を通じてフォトダイオード１２５、１０５に入力される。第１及び第２D+増幅部１０３、１２３はフォトダイオード１０５、１２５からのデータ信号を増幅させてD+端子１０６、１２６に印加する。
【０００７】
同様に、第１及び第２D-制御スイッチ１１１、１３１は第１及び第２D-増幅部１１３、１３３を通じて入力されるD-データ信号が第１及び第２D-駆動部１１２、１３２を通じてフィードバックされないようにする。D-駆動部１１２、１３２は相応するD-電気的データ信号D-A、D-Bによって相応する発光ダイオード１１４、１３４を駆動して相応するD-光データ信号を生じる。発光ダイオード１１４、１３４からのD-光データ信号D-A、D-Bは相応する光ファイバラインOF３、OF４を通じて他側のフォトダイオード１３５、１１５に入力される。D-増幅部１１３、１３３は相応するフォトダイオード１１５、１３５からのデータ信号を増幅して相応するD-端子１１６、１３６に印加する。
【０００８】
前述したように従来のUSB用の光通信インターフェースモジュールがD+データ信号及びD-データ信号が相異なる光ファイバラインを通じて送受信されるように構成しなければならない理由は、２つの信号が共に論理ロー状態の単一終端領域が存在するからである。これにより、単一終端領域以外の領域では常に両信号の論理状態が反対であるにも拘らずD+データ信号及びD-データ信号が相異なる光ファイバラインを通じて送受信されるので、光ファイバラインが無駄使いされる問題点がある。
【０００９】
【発明が解決しようとする課題】
本発明の目的は、USB用の光通信インターフェースモジュールにおいて、USBの信号特性を用いて光ファイバラインの数を減らせるモジュールを提供することである。
【００１０】
【課題を解決するための手段】
前記目的を達成するための本発明のUSB用の光通信インターフェースモジュールは、統合送信モジュール及び統合受信モジュールを含む。前記統合送信モジュールは、USBのD+端子からのD+電気的データ信号及びD-端子からのD-電気的データ信号を処理して第１光ファイバラインを通じて統合送信する。前記統合受信モジュールは、第２光ファイバラインを通じて統合受信されたD+光データ信号及びD-光データ信号を処理してD+電気的データ信号及びD-電気的データ信号を前記D+端子及びD-端子に各々入力させる。ここで、前記統合送信モジュールが送信駆動回路及び送信制御スイッチを含む。
【００１１】
前記送信駆動回路は、USBのD+端子からのD+電気的データ信号及びD-端子からのD-電気的データ信号のうち何れか１つの信号に相応する光データ信号を生成して前記第１光ファイバラインに入射させる。前記送信制御スイッチは、前記USBのD+端子からのD+電気的データ信号及びD-端子からのD-電気的データ信号が共に論理ロー状態になるうちに前記光データ信号の輝度を第１設定値より高め、前記D+端子またはD-端子に入力される統合受信モジュールからの電気的データ信号によっては前記送信駆動回路が動作しないように制御する。
【００１２】
本発明の前記USB用の光通信インターフェースモジュールによれば、前記送信制御スイッチの動作によって前記D+及びD-データ信号の単一終端領域が前記統合受信モジュールで検出されうるので、前記送信駆動回路によってD+電気的データ信号及びD-電気的データ信号のうち何れか１つの信号に相応する光データ信号のみを伝送しうる。なぜなら、単一終端領域以外の領域では常に２つの信号の論理状態が反対であることを利用できるからである。したがって、前記D+電気的データ信号及びD-電気的データ信号のうち何れか１つの信号に相応する光データ信号のみを伝送可能なので、光ファイバラインの数を減らせる。
【００１３】
望ましくは、前記統合受信モジュールが光電変換部、信号分離部及び受信制御部を含む。前記光電変換部は前記第２光ファイバラインを通じて受信された光データ信号を電気的データ信号に変換する。前記信号分離部は、前記光電変換部からの電気的データ信号を処理してD+電気的データ信号及びD-電気的データ信号を生じ、生じたD+電気的データ信号及びD-電気的データ信号を前記D+端子及びD-端子に各々入力させる。前記受信制御部は、前記光電変換部からの電気的データ信号が前記第１設定値に比例した第２設定値より高まる間に前記D+端子及びD-端子に各々入力されるD+電気的データ信号及びD-電気的データ信号が共に論理ロー状態になるようにする。
【００１４】
【発明の実施の形態】
以下、添付した図面に基づき本発明を詳しく説明する。
【００１５】
図２及び図３を参照すれば、本発明の一実施例に係るUSB用の光通信インターフェースモジュールは、統合送信モジュール(A側の場合２０１、…、２０６、B側の場合２２１、…、２２６)及び統合受信モジュール(A側の場合２０７、…、２１２及び２１５、B側の場合２２７、…、２３２及び２３５)を含む。
【００１６】
統合送信モジュール(A側の場合２０１、…、２０６、B側の場合２２１、…、２２６)は、USBのD+端子２１３、２３３からのD+電気的データ信号D+A、D+B及びD-端子２１４、２３４からのD-電気的データ信号D-A、D-Bを処理して第１光ファイバライン(A側の場合OF１、B側の場合OF２)を通じて統合送信する。統合受信モジュール(A側の場合２０７、…、２１２及び２１５、B側の場合２２７、…、２３２及び２３５)は、第２光ファイバライン(A側の場合OF２、B側の場合OF１)を通じて統合受信されたD+光データ信号及びD-光データ信号を処理してD+電気的データ信号及びD-電気的データ信号をD+端子２１３、２３３及びD-端子２１４、２３４に各々入力させる。ここで、統合送信モジュール(A側の場合２０１、…、２０６、B側の場合２２１、…、２２６)が送信駆動回路(A側の場合２０１、２０２、２０３、２０５、２０６、B側の場合２２１、２２２、２２３、２２５、２２６)及び送信制御スイッチ(A側の場合２０４、B側の場合２２４)を含む。
【００１７】
送信駆動回路(A側の場合２０１、２０２、２０３、２０５、２０６、B側の場合２２１、２２２、２２３、２２５、２２６)は、USBのD-端子２１４、２３４からのD-電気的データ信号D-A、D-Bに相応する光データ信号を第１光ファイバライン(A側の場合OF１、B側の場合OF２)に入射させる。送信制御スイッチ(A側の場合２０４、B側の場合２２５)は、USBのD+端子２１３、２３３からのD+電気的データ信号(A側の場合D+A、B側の場合D+B)及びD-端子２１４、２３４からのD-電気的データ信号(A側の場合D-A、B側の場合D-B)が全て論理ロー状態になるうちに光データ信号の輝度を第１設定値より高め、D+端子２１３、２３３またはD-端子２１４、２３４に入力される統合受信モジュール(A側の場合２０７、…、２１２及び２１５、B側の場合２２７、…、２３２及び２３５)からの電気的データ信号によっては送信駆動部２０５、２２５が動作しないように制御する。
【００１８】
これにより、送信制御スイッチ２０４、２２４の動作によってD+及びD-データ信号の単一終端領域が相応する統合受信モジュール(A側の場合２０７、…、２１２及び２１５、B側の場合２２７、…、２３２及び２３５)で検出されうるので、送信駆動回路(A側の場合２０１、２０２、２０３、２０５及び２０６、B側の場合２２１、２２２、２２３、２２５及び２２６)によってD+電気的データ信号(A側の場合D+A、B側の場合D+B)及びD-電気的データ信号(A側の場合D-A、B側の場合D-B)のうち何れか１つの信号、例えば、D-電気的データ信号に相応する光データ信号のみを伝送しうる。なぜなら、単一終端領域以外の領域では常に２つの信号(A側の場合D+AとD-A、B側の場合D+BとD-B)の論理状態が反対であることを利用できるからである。したがって、D+電気的データ信号(A側の場合D+A、B側の場合D+B)及びD-電気的データ信号(A側の場合D-A、B側の場合D-B)のうち何れか１つの信号、例えば、D-電気的データ信号に相応する光データ信号のみを伝送可能なので、２つの光ファイバライン(OF１、OF２)のみを使用しうる。
【００１９】
送信駆動回路(A側の場合２０１、２０２、２０３、２０５、２０６、B側の場合２２１、２２２、２２３、２２５、２２６）は比較器２０２、２２２、NORゲート２０１、２２１、ORゲート２０３、２２３、発光ダイオード２０６、２２６及び送信駆動部２０５、２２５を含む。
【００２０】
比較器２０２、２２２は、D+端子２１３、２２３からのD+電気的データ信号D+A、D+Bをその負極性(-)入力端子を通じて入力され、D-端子２１４、２３４からのD-電気的データ信号D-A、D-Bをその正極性(+)入力端子を通じて入力され、D-電気的データ信号D-A、D-Bのような論理状態の電気的データ信号を出力する。NORゲート２０１、２２１はD+端子２１３、２２３からのD+電気的データ信号D+A、D+B及び前記D-端子２１４、２３４からのD-電気的データ信号D-A、D-Bが共に論理ロー状態であるうちにのみ論理ハイ状態になる電気的制御信号を出力する。ORゲート２０３、２２３は比較器２０２、２２２からの電気的データ信号が論理ハイ状態であるか、NORゲート２０１、２２１からの電気的制御信号が論理ハイ状態であるうちにのみ論理ハイ状態の電気的データ信号を出力する。発光ダイオード２０６、２２６はそのアノード端子に印加される駆動電圧に比例する輝度の光を第１光ファイバライン(A側の場合OF１、B側の場合OF２)に入射させる。送信駆動部２０５、２２５は発光素子２０６、２２６の動作状態をORゲート２０３、２２３からの電気的データ信号と同一な論理状態にする。ここで、送信駆動部２０５、２２５はトランジスタ(A側の場合、図３のTR２)及び抵抗R１を含む。
【００２１】
送信制御スイッチ２０４、２２４は第１及び第２トランジスタ(A側の場合、図３のTR１、TR３)を含む。第１トランジスタTR１は、NORゲート２０１からの電気的制御信号が論理ハイ状態であるうちにのみターン-オンされ、発光ダイオード２０６のアノード端子に印加される駆動電圧を所定の設定値より高くする。すなわち、第１トランジスタTR１がターン-オンされる間に、電源端子Vccと発光ダイオード２０６との間の抵抗がR４とR５の並列合成抵抗に近接されるために、発光ダイオード２０６のアノード端子に印加される駆動電圧が設定値より高まる。第２トランジスタTR３は、D-端子２１４に入力される比較器２１０からの電気的データ信号が論理ハイ状態であるうちにのみターン-オンされ、発光ダイオード２０６のアノード端子に印加される駆動電圧を接地電圧に近接させる。
【００２２】
一方、統合受信モジュール(A側の場合２０７、…、２１２及び２１５、B側の場合２２７、…、２３２及び２３５)は光電変換部(A側の場合２０７、２０８、２０９、B側の場合２２７、２２８、２２９)、信号分離部(A側の場合２１０及び２１５、B側の場合２３０及び２３５)及び受信制御部(A側の場合２１１、２１２、B側の場合２３１、２３２)を含む。
【００２３】
光電変換部(A側の場合２０７、２０８、２０９、B側の場合２２７、２２８、２２９)は第２光ファイバライン(A側の場合OF２、B側の場合OF１)を通じて受信された光データ信号を電気的データ信号に変換する。信号分離部(A側の場合２１０、２１５、B側の場合２３０、２３５)は、光電変換部(A側の場合２０７、２０８、２０９、B側の場合２２７、２２８、２２９)からの電気的データ信号を処理してD+電気的データ信号及びD-電気的データ信号を生じ、生じたD+電気的データ信号及びD-電気的データ信号を前記D+端子及びD-端子に各々入力させる。受信制御部(A側の場合２１１、２１２、B側の場合２３１、２３２)は、光電変換部からの電気的データ信号が第２設定値段より高まる間にD+端子及びD-端子に各々入力されるD+電気的データ信号及びD-電気的データ信号を共に論理ロー状態にする。これにより、相応するD-端子２１４、２３４に入力される受信制御部(A側の場合２１１、２１２、B側の場合２３１、２３２)からのD-データ信号が相応する送信駆動回路を通じてフィードバックされないようにする。
【００２４】
光電変換部(A側の場合２０７、２０８、２０９、B側の場合２２７、２２８、２２９)は光電変換素子としてのフォトダイオード２０７、２２７、電流-電圧変換器２０８、２２８及び増幅器２０９、２２９を含む。フォトダイオード２０７、２２７は第２光ファイバライン(A側の場合OF２、B側の場合OF１)を通じて受信された光データ信号を電流データ信号に変換させる。電流-電圧変換器２０８、２２８はフォトダイオード２０７、２２７からの電流データ信号を電圧データ信号に変換させる。増幅器２０９、２２９は電流-電圧変換器２０８、２２８からの電圧データ信号を所定の増幅度で増幅させる。
【００２５】
信号分離部(A側の場合２１０、２１５、B側の場合２３０、２３５)は比較器２１０、２３０及び反転器２１５、２３５を含む。比較器２１０、２３０は、増幅器２０９、２２９からの電圧データ信号が第１基準電圧V１より高いうちにのみ論理ハイ状態のD-電気的データ信号を生じてD-端子２１４、２３４に入力させる。反転器２１５、２３５は比較器２１０、２３０からのD-電気的データ信号が反転されたD+電気的データ信号を生じてD+端子２１３、２３３に入力させる。
【００２６】
受信制御部(A側の場合２１１、２１２、B側の場合２３１、２３２)は比較器２１１、２３１、D+制御トランジスタ(A側の場合、図３のTR５)及びD-制御トランジスタ(A側の場合、図３のTR４)を含む。比較器２１１、２３１は増幅器２０９、２２９からの電圧データ信号が第２基準電圧V１より高いうちにのみ論理ハイ状態の制御信号を生じる。D+制御トランジスタ(A側の場合、図３のTR５)は、そのコレクタがD+端子(２１３、B側の場合２３３)に連結され、そのベースが比較器(２１１、B側の場合２３１)の出力端子に連結され、そのエミッタが接地される。D-制御トランジスタ(A側の場合、図３のTR４)は、そのコレクタがD-端子(２１４、B側の場合２３４)に連結され、そのベースが比較器２１１、２３１の出力端子に連結され、そのエミッタが接地される。比較器(２１１、B側の場合２３１)から論理ハイ状態の制御信号が生じる間に、D+制御トランジスタ(A側の場合、図３のTR５)及びD-制御トランジスタ(A側の場合、図３のTR４)がターン-オンされるので、２つの信号とも論理ロー状態の単一終端領域が検出される。
【００２７】
図４は図２のA側統合送信モジュール及びB側統合受信モジュールの各部の動作状態を示す。図４において、部材符号D+AはA側D+端子(図２の２１３)からの出力信号、D-AはA側D-端子(図２の２１４)からの出力信号、S２０２はA側比較器(図２の２０２)の出力信号、S２０３はA側ORゲート(図２の２０３)の出力信号、S２０１はA側NORゲート(図２の２０１)の出力信号、S２０６はA側発光ダイオード(図２の２０６)から出射される光の輝度、S２２８はB側電流-電圧変換器(図２の２２８）の出力信号、S２２９はB側増幅器(図２の２２９）の出力信号、S２３０はB側信号分離部の比較器(図２の２３０）の出力信号、S２３１はB側受信制御部の比較器(図２の２３１）の出力信号、そしてD+BはB側D+端子(図２の２３３)への入力信号、D-BはB側D-端子(図２の２３４)への入力信号を各々示す。
【００２８】
図４を参照すれば、USBを通じて伝送されるD+信号D+A及びD-信号D-Aは、t１時点とt２時点との間の単一終端領域を除いた残り全ての領域で相互反転された状態であることがわかる。A側比較器(図２の２０２)の出力信号S２０２はD-信号(D-A)と同一な論理状態を有する。A側ORゲート(図２の２０３)の出力信号S２０３は、単一終端領域t１〜t２で常に論理ハイ状態であり、その他の領域ではA側比較器(図２の２０２)の出力信号S２０２と同一な論理状態を有する。A側NORゲート(図２の２０１)の出力信号S２０１は、単一終端領域t１〜t２で常に論理ハイ状態であり、その他の領域では論理ロー状態である。これにより、A側発光ダイオード(図２の２０６)から出射される光データ信号S２０６は、単一終端領域t１〜t２で最も明るく、その他の領域ではA側ORゲート(図２の２０３)の出力信号(S２０３)によって正常な輝度に変わる。
【００２９】
B側電流-電圧変換器(図２の２２８)の出力信号S２２８は、B側フォトダイオード(図２の２２７)に入射される光データ信号S２０６が反転された状態である。B側増幅器(図２の２２９)の出力信号S２２９は、B側電流-電圧変換器(図２の２２８)の出力信号S２２８が反転及び増幅された状態である。ここで、受信制御部の比較器(図２の２３１)の基準電圧V２は、単一終端領域t１〜t２でのパルスの電圧より低く、その他の領域でのパルスの電圧より低い。また、信号分離部の比較器(図２の２３０)の基準電圧V２は、単一終端領域t１〜t２以外の領域でのパルスの電圧より低い。したがって、B側信号分離部の比較器(図２の２３０)の出力信号S２３０は、A側ORゲート(図２の２０３)の出力信号S２０３の論理状態と同一になる。また、B側受信制御部の比較器(図２の２３１)の出力信号S２３１は、A側NORゲート(図２の２０１)の出力信号S２０１の論理状態と同一になる。したがって、図３を参照して説明された動作によって、B側D+端子(図２の２３３)への入力信号D+BはA側D+端子(図２の２１３)からの出力信号D+Aと同一になり、B側D-端子(図２の２３４)への入力信号D-BはA側D-端子(図２の２１４)からの出力信号D-Aと同一になる。
【００３０】
【発明の効果】
前述したように、本発明に係るUSB用の光通信インターフェースモジュールによれば、送信制御スイッチの動作によってD+及びD-データ信号の単一終端領域が統合受信モジュールで検出されうるので、送信駆動回路によってD+電気的データ信号及びD-電気的データ信号のうち何れか１つの信号に相応する光データ信号のみを伝送しうる。なぜなら、単一終端領域以外の領域では２つの信号の論理状態が常に反対であることを利用できるからである。したがって、D+電気的データ信号とD-電気的データ信号のうち何れか１つの信号に相応する光データ信号のみを伝送可能なので、光ファイバラインの数を減らせる。
【００３１】
本発明は、前記実施例に限定されず、特許請求の範囲で定義された発明の思想及び範囲内で当業者によって変形及び改良されうる。
【図面の簡単な説明】
【図１】従来のUSB用の光通信インターフェースモジュールを示す図面である。
【図２】本発明の一実施例に係るUSB用の光通信インターフェースモジュールを示す図面である。
【図３】図２のA側光通信インターフェースモジュールを示す図面である。
【図４】図２のA側の統合送信モジュール及びB側の統合受信モジュールの各部の動作状態を示すタイミング図である。
【符号の説明】
２０１、…、２０６、２２１、…、２２６ 統合送信モジュール
２０７、…、２１２、２１５、２２７、…、２３２、２３５ 統合受信モジュール
２１３、２３３ D+端子
２１４、２３４ D-端子
２０１、２０２、２０３、２０５、２０６、２２１、２２２、２２３、２２５、２２６ 送信駆動回路
２０４、２２４ 送信制御スイッチ
【図１】
0003672521.tif 000002
【図２】
0003672521.tif 000003
【図３】
0003672521.tif 000004
【図４】
0003672521.tif 000005